(57)【要約】【課題】外気を室内に導入して外気冷却を図る給気装置において、外気を室内に吸気するのに天井内にファン装置を設置する必要がなく、また外気を均一に室内に吹き出す、簡易な装置を提供することを目的とする。【解決手段】天井裏に配置した給気チャンバー１と、グリル６と、天井扇７とツイタテ８とを有し、給気チャンバー１は天井９面に開口する第１の開口３と外気と連通する第２の開口２とを有し、第１の開口３にグリル６を設け、グリル６の下に所定の間隔を置いて天井扇７を配置し、その天井扇７と天井９との間で、天井扇７を囲うように天井９面に、立てたり、倒したり出来るツイタテ８を備えたもので、天井扇７の運転により外気導入するとともに外気を均一に室内に吹き出すことが出来る外気給気装置が得られる。【選択図】図１
2010249352.tif 000002
【特許請求の範囲】
【請求項１】
天井裏に配置した給気チャンバーと、グリルと、天井扇とツイタテとを有し、前記給気チャンバーは天井面に開口する第１の開口と外気と連通する第２の開口とを有し、前記第１の開口に前記グリルを設け、前記グリルの下に所定の間隔を置いて前記天井扇を配置し、その天井扇と天井との間で、天井扇を囲うように天井面に、立てたり、倒したり出来るツイタテを配置したことを特徴とする外気給気システム。
【請求項２】
上記ツイタテの倒れ角度を変えるツイタテ駆動手段を設けた請求項１記載の外気給気システム。
【請求項３】
上記ツイタテとグリルを一体にした請求項１記載の外気給気システム。
【請求項４】
給気チャンバーまたはグリルに空気清浄手段としてフィルターを設けた請求項１記載の外気給気システム。
【請求項５】
外気との連通を遮断する連通遮断手段を設けた請求項１記載の外気給気システム。
【請求項６】
給気チャンバーの内部に外気との連通を遮断する連通遮断手段としてダンパーを設けた請求項２記載の外気給気システム。
【請求項７】
通風する際に気流の方向が外向きに変更するように上記グリルに格子を設けた請求項１記載の外気給気システム。
【請求項８】
外気との連通を遮断する連通遮断手段として上記グリルの通風開口部を閉じて、上記給気チャンバーの第１の開口が塞がるようにした請求項２記載の外気給気システム。
【請求項９】
上記グリルの格子の向きを変更する格子駆動手段を設け、気流の方向が外向きになるように格子の向きを変更するとともに、前記格子駆動手段により、上記給気チャンバーの天井面側の開口が塞がるようにした請求項６記載の外気給気システム。
【請求項１０】
外気との連通を遮断する連通遮断手段と、給気チャンバーの下に配置した天井扇と、前記連通遮断手段とツイタテを駆動する制御装置とを備え、この制御装置は外気温度と室内温度により連通遮断手段と天井扇の少なくともひとつを制御する請求項１記載の外気給気システム。
【請求項１１】
制御装置は、外気温度を計測する外気温度計測手段と、室内温度を計測する室温計測手段と、前記外気温度と室内温度とを比較する内外温度比較手段とを備え、外気温度の方が室内温度より低い場合に、ツイタテを立て、ダンパーを開き、天井扇を動かすようにした請求項１記載の外気給気システム。
【請求項１２】
制御装置は、外気温度を計測する外気温度計測手段と、室内温度を計測する室温計測手段と、前記外気温度と室内温度とを比較する内外温度比較手段とを備え、外気温度が室内温度より高い場合に連通遮断手段を駆動して外気と連通を遮断する請求項２記載の外気給気システム。
【請求項１３】
制御装置は、室内温度を計測する室温計測手段を設け、室内温度が室温設定値より低いときには、連通遮断手段を駆動して外気と連通を遮断する請求項２記載の外気給気システム。
【請求項１４】
制御装置は、天井扇運転温度設定値として所定の温度を設定する天井扇運転温度設定手段を設け、外気温度と室内温度が天井扇運転温度設定値より低い場合に天井扇の運転を停止させる請求項２記載の外気給気システム。
【請求項１５】
制御装置は、天井扇の回転数を制御する天井扇回転制御手段と、天井扇運転温度設定値として所定の温度を設定する天井扇運転温度設定手段とを設け、外気温度と室内温度が前記天井扇運転温度設定値よりも低い場合に前記天井扇の回転数を低くする請求項２記載の外気給気システム。
【発明の詳細な説明】
【技術分野】
【０００１】
本発明は、天井扇により外気を室内に導入し、室内への拡散を速く行い室内の外気冷却ができる給気システムに関するものである。
【背景技術】
【０００２】
従来、外気から室内に至るダクトの途中に換気ファンを設け、室内の天井または壁から吹出すことが知られている。（例えば、特許文献１参照）。
【０００３】
以下その外気給気装置について、図８を参照しながら説明する。
【０００４】
図８に示すように、外気ダクト１０１、換気ユニット（ファン）１０２、吸込口１０３、室内ユニット１０４、送風ファン１０５、冷房用熱交換器１０６、暖房用熱交換器１０７、分岐チャンバー１０８、分岐ダクト１１１、吹出口１１２、室外機１１３で構成されているダクト式空調システムにおける吸気装置であり、外気は天井裏の換気ユニット１０２内のファンを駆動して吸気される。外気は、外気ダクト１０１から吸込口１０３に導入され、室内ユニット１０４から分岐チャンバー１０８により分岐ダクト１１１を経て、各部屋の吹出口１１２によって室内に導入していた。
【特許文献１】特開平７−４７０２号公報
【発明の開示】
【発明が解決しようとする課題】
【０００５】
このような従来のダクト式空調システムにおける換気装置では、外気を導入するのに天井内にファン駆動の換気ユニットを設けなければならず、ファン駆動のためには天井内に電気配線等も必要となり、天井内に換気ユニットを設けない簡単な外気給気システムが要望されている。また導入する外気が室内に均一に噴き出さないという課題があり、外気が室内に均一に行渡る快適な外気給気システムが要望されている。
【課題を解決するための手段】
【０００６】
本発明の外気給気システムは上記目的を達成するために、天井裏に配置した給気チャンバーと、グリルと、天井扇とツイタテとを有し、前記給気チャンバーは天井面に開口する第１の開口と外気と連通する第２の開口とを有し、前記第１の開口に前記グリルを設け、前記グリルの下に所定の間隔を置いて前記天井扇を配置し、その天井扇と天井との間で、天井扇を囲うように天井面に立てたり、倒したり出来るツイタテを配置したものである。
【０００７】
この手段により、外気を天井扇で給気することができ、天井内に換気ユニットを設けずに簡単な外気給気システムが得られ、天井扇で室内に均一に送風して外気が室内に均一に行渡る快適な外気給気システムが得られる。
【０００８】
また、本発明の外気給気システムは上記目的を達成するために、ツイタテの倒れ角度を変えるツイタテ駆動手段を設けたものである。
【０００９】
この手段により、外気給気風量と室内循環風量の割合を変えることができ、室内の温度を  快適に保つ環境が得られる。
【００１０】
また、本発明の外気給気システムは上記目的を達成するために、ツイタテとグリルとを一体化したものである。
【００１１】
この手段により、ツイタテとグリルの両方を施行する必要がなくグリルのみ取付けるだけでよいので、施工性が良くなり、天井内に換気ユニットを設けない簡単な外気給気システムが得られる。
【００１２】
また、本発明の外気給気システムは上記目的を達成するために、給気チャンバーまたはグリルに空気清浄手段としてフィルターを設けたものである。
【００１３】
この手段により、外気に含まれる塵埃を取り除くこともできる、天井内に換気ユニットを設けない簡単な外気給気システムが得られる。
【００１４】
また、本発明の外気給気システムは上記目的を達成するために、外気との連通を遮断する連通遮断手段を設けたものである。
【００１５】
この手段により、外気との連通を遮断もできる、天井内に換気ユニットを設けない簡単な外気給気システムが得られる。
【００１６】
また、本発明の外気給気装置は上記目的を達成するために、上記給気チャンバーの内部に、外気との連通を遮断する連通遮断手段としてダンパーを設けたものである。
【００１７】
この手段により、外気取入れが不要なとき確実に外気が導入されなくなる、天井内に換気ユニットを設ない簡単な外気給気システムが得られる。
【００１８】
また、本発明の外気給気システムは上記目的を達成するために、通風する際に、気流の方向が外向きに変更するように上記グリルに格子を設けたものである。
【００１９】
この手段により、天井扇の羽根の裏側全域に拡散して到達した外気が天井扇で室内に均一に送風されることで、快適な外気給気システムが得られる。
【００２０】
また、本発明の外気給気システムは上記目的を達成するために、外気との連通を遮断する連通遮断手段として、上記グリルの通風開口部を閉じて、上記給気チャンバー第１の開口が塞がるようにしたものである。
【００２１】
この手段により、外気取入れが不要なとき確実に外気が導入されなくなり、天井内に換気ユニットを設けずに簡単な外気給気システムが得られる。
【００２２】
また、本発明の外気給気システムは上記目的を達成するために、上記グリルの格子の向きを変更する格子駆動手段を設け、気流の方向が外向きに変更するように格子の向きを変更するとともに、前記格子駆動手段により、上記給気チャンバーの天井面の開口が塞がるようにしたようにしたものである。
【００２３】
この手段により、天井扇の羽根の裏側全域に拡散して到達した外気が天井扇で送風されるとともに、外気取入れが不要なとき確実に外気が導入されなくなる、天井内に換気ユニットを設けない簡単な外気給気システムが得られる。また、天井扇で外気を室内に均一に送風するので、外気が室内に均一に行渡り快適な外気給気システムが得られる。
【００２４】
また、本発明の外気給気システムは上記目的を達成するために、外気との連通を遮断する連通遮断手段と、給気チャンバーの下に配置した天井扇と、前記連通遮断手段とツイタテを駆動する制御装置とを備え、この制御装置は外気温度と室内温度により連通遮断手段と天井扇の少なくとも１つを制御するようにしたものである。
【００２５】
この手段により、外気温度が室内温度より高いときに、屋外との連通を遮断して快適な外気給気システムが得られる。
【００２６】
また、本発明の外気給気システムは上記目的を達成するために、外気温度を計測する外気温度計測手段と、室内温度を計測する室温計測手段と、前記外気温度と室内温度とを比較する内外温度比較手段とを備え、外気温度の方が室内温度より低い場合に、ツイタテを立て、ダンパーを開き、天井扇を動かすようにしたものである。
【００２７】
この手段により、確実に外気冷却が出来、快適な外気給気システムが得られる。
【００２８】
また、本発明の外気給気システムは上記目的を達成するために、制御装置は、外気温度を計測する外気温度計測手段と、室内温度を計測する室温計測手段と、前記外気温度と室内温度とを比較する内外温度比較手段とを備え、外気温度が室内温度より高い場合に連通遮断手段を駆動して外気と連通を遮断するようにしたものである。
【００２９】
この手段により、外気温度が室内温度より高いときに、屋外との連通を遮断して快適な外気給気システムが得られる。
【００３０】
また、本発明の外気給気システムは上記目的を達成するために、制御装置は、室内温度を計測する室温計測手段を設け、室内温度が室温設定値より低いときには、連通遮断手段を駆動して外気と連通を遮断するようにしたものである。
【００３１】
この手段により、低温の外気が確実に導入されなくなる、快適な外気給気システムが得られる。
【００３２】
また、本発明の外気給気システムは上記目的を達成するために、制御装置は、天井扇運転温度設定値として所定の温度を設定する天井扇運転温度設定手段を設け、外気温度と室内温度が天井扇運転温度設定値より低い場合に天井扇の運転を停止するようにしたものである。
【００３３】
この手段により、外気冷却が不要なときに天井扇の運転が停止し、快適な外気給気システムが得られる。
【００３４】
また、本発明の外気給気システムは上記目的を達成するために、制御装置は、天井扇の回転数を制御する天井扇回転制御手段と、天井扇運転温度設定値として所定の温度を設定する天井扇運転温度設定手段とを設け、外気温度と室内温度が前記天井扇運転温度設定値よりも低い場合に前記天井扇の回転数を低くするようにしたものである。
【００３５】
この手段により、外気冷却が不要なときに天井扇の回転が遅くなり、緩やかな循環気流の快適な外気給気システムが得られる。
【発明の効果】
【００３６】
本発明によれば、天井内に換気ユニットを設けずに簡単で、外気が室内に均一に行渡り快適であるという効果のある外気給気システムを提供できる。
【００３７】
また、本発明によれば、外気給気風量と室内循環風量の割合を変えることができ、室内の温度を  快適に保つ環境が得られる外気給気システムを提供できる。
【００３８】
また、本発明によれば、施工性が良く、天井内に換気ユニットを設けない簡単な外気給気システムを提供できる。
【００３９】
また、本発明によれば、外気をクリーンにして室内に導入できるという効果もある、天井内に換気ユニットを設けずに簡単な外気給気システムを提供できる。
【００４０】
また、本発明によれば、外気取入れが不要なとき確実に外気が導入されなくなる、簡単な外気給気システムを提供できる。
【００４１】
また、本発明によれば、外気が天井扇の羽根の裏側全域に拡散し、効率的に天井扇で外気を室内に均一に送風させることで、室内に均一に行渡り快適な外気給気システムを提供できる。
【００４２】
また、本発明によれば、給気チャンバーの天井面の開口を塞ぎ、天井扇が循環運転時に静かに効率よく運転するという効果もある、天井扇で外気を室内に均一に送風することで、室内に均一に行渡り快適な外気給気システムを提供できる。
【００４３】
また、本発明によれば、給気グリルが風向変更とともに天井開口を塞ぐ機能をもつという効果もある、天井扇で室内に均一に送風して外気が室内に均一に行渡り快適な外気給気システムを提供できる。
【００４４】
また、本発明によれば、外気温度が室内温度より高いときに、屋外との連通を遮断して快適な外気給気システムを提供できる。
【００４５】
また、本発明によれば、外気冷却ができないときに自動的に外気との連通を遮断する、快適な外気給気システムを提供できる。
【００４６】
また、本発明によれば、外気との連通が不要なときに自動的に外気との連通を遮断する、快適な外気給気システムを提供できる。
【００４７】
また、外気冷却が可能なときに、自動的に外気を最大に吸気する、快適な外気給気システムを提供できる。
【００４８】
また、本発明によれば、外気冷房が不要なときに自動的に天井扇運転を停止する、快適な外気給気システムを提供できる。
【００４９】
また、本発明によれば、外気冷房が不要なときに自動的に天井扇の回転数を遅くし、快適な外気給気システムを提供できる。
【発明を実施するための最良の形態】
【００５０】
本発明の請求項１記載の発明は、天井裏に配置した給気チャンバーと、グリルと、天井扇とを有し、前記給気チャンバーは天井面に開口する第１の開口と外気と連通する第２の開口とを有し、前記第１の開口に前記グリルを設け、前記グリルの下に所定の間隔を置いて前記天井扇を配置し、その天井扇と天井との間で、天井扇を囲うように天井面に、立てたり倒したり出来るツイタテを配置したものであり、外気を天井扇で給気して室内に均一に送風し、外気が室内に均一にいきわたるという作用を有する。
【００５１】
また、本発明の請求項２記載の発明は、ツイタテの倒れ角度を変えるツイタテ駆動手段を設けたものであり、ツイタテの倒れ角度を変えることで、ツイタテと天井扇の羽根との間隔を狭め、天井扇が室内の空気の巻き込む量、即ち室内空気の循環量を少なくして、天井扇の背面にある給気チャンバーの開口から外気を給気するとともに、またツイタテと天井扇の羽根との間隔を広げ、天井扇が室内の空気の巻き込む量、即ち室内空気の循環風量が多く吸気量を減らして吸気するという作用を有する。
【００５２】
また、本発明の請求項３記載の発明は、ツイタテとグリルとを一体化したものであり、グリルの周辺にツイタテを組み込んでいるので、グリルを天井面に取り付けるだけで、上記本発明の請求項２記載の発明と同じ作用を有する。
【００５３】
また、本発明の請求項４記載の発明は、上記給気チャンバーまたはグリルに空気清浄手段としてフィルターを設けたものであり、給気される外気に含まれる浮遊塵埃等が空気清浄用フィルターで浄化され、クリーンな空気になるという作用を有する。
【００５４】
また、本発明の請求項５記載の発明は、外気との連通を遮断する連通遮断手段を設けたものであり、外気取入れが不要なとき確実に外気が導入されなくなるという作用を有する。
【００５５】
また、本発明の請求項６記載の発明は、上記給気チャンバーの内部に外気との連通を遮断する手段としてダンパーを設けたものであり、外気取入れが不要なとき確実に外気が導入されなくなるという作用を有する。
【００５６】
また、本発明の請求項７記載の発明は、通風する際に気流の方向が外向きに変更するように上記グリルに格子を設けたものであり、吸入される外気がグリルを通過する際に外向きに偏向されて、給気チャンバーの天井開口より広い範囲で、回転する天井扇の翼面の裏側全域に拡散して到達するという作用を有する。
【００５７】
また、本発明の請求項８と請求項９に記載の発明は、上記グリルの通風開口部を閉じて、上記給気チャンバーの第２の開口が塞がるようにしたもので、外気取入れが不要なとき確実に外気が導入されなくなるとともに、天井扇の吸込み側で空気を巻き込む空隙となる給気チャンバー開口部を塞ぎ、天井扇が室内空気を循環させる運転時に静かに効率よく運転するという作用を有する。
【００５８】
また、本発明の請求項１０記載の発明は、外気との連通を遮断する連通遮断手段と、給気チャンバーの下に配置した天井扇と、前記連通遮断手段と天井扇を駆動する制御装置とを備え、この制御装置は、外気温度と室内温度により連通遮断手段と天井扇の少なくともひとつを制御するようにしたもので、外気温度と室内温度によって、連通遮断手段の開閉と天井扇の運転／停止の少なくともひとつが制御されるという作用を有する。
【００５９】
また、本発明の請求項１１記載の発明の制御装置は、外気温度を計測する外気温度計測手段と、室内温度を計測する室温計測手段と、前記外気温度と室内温度とを比較する内外温度比較手段とを備え、外気温度が室内温度より低い場合にツイタテを駆動して、ツイタテと天井扇の羽根とのスキマを狭めて天井扇を運転するようにしたもので、外気温度が室内温度より低い場合に外気が多く給気されるという作用を有する。
【００６０】
また、本発明の請求項１２記載の発明の制御装置は、外気温度を計測する外気温度計測手段と、室内温度を計測する室温計測手段と、前記外気温度と室内温度とを比較する内外温度比較手段とを備え、外気温度が室内温度より高い場合に連通遮断手段を駆動して外気と連通を遮断するようにしたもので、外気温度が室内温度より高く外気冷却ができないときに外気給気装置において外気と連通することを機械的に遮断し、確実に外気が給気されなくするという作用を有する。
【００６１】
また、本発明の請求項１３記載の発明は、制御装置は、室内温度を計測する室温計測手段を設け、室内温度が室温設定値より低いときには、連通遮断手段を駆動して外気と連通を遮断するようにしたもので、外気冷却が不要なときに外気給気装置において外気と連通することを機械的に遮断して、外気を完全に給気しないようにするという作用を有する。
【００６２】
また、本発明の請求項１４記載の発明の制御装置は、天井扇運転温度設定値として所定の温度を設定する天井扇運転温度設定手段を設け、外気温度と室内温度が天井扇運転温度設定値より低い場合に天井扇の運転を停止させるようにしたもので、天井扇運転が不要なときに天井扇を停止し、使用者が風速を感じないようにするという作用を有する。
【００６３】
また、本発明の請求項１５記載の発明の制御装置は、天井扇の回転数を制御する天井扇回転制御手段と、天井扇運転温度設定値として所定の温度を設定する天井扇運転温度設定手段とを設け、外気温度と室内温度が前記天井扇運転温度設定値よりも低い場合に前記天井扇の回転数を低くするようにしたもので、天井扇運転が不要なときに天井扇の回転数を遅くして、天井扇による緩やかな室内循環気流が形成されるという作用を有する。
【００６４】
以下本発明の実施の形態について、図面を参照しながら説明する。
【００６５】
（実施の形態１）
図１、図２および図２のＡ矢視図を表す図４に示すように、天井裏に給気チャンバー１を設置し、この給気チャンバー１には天井面側に第１の開口３と屋外１ａと連通する第２の開口２とが設けてあり、給気チャンバー１の外気と連通する第２の開口２に接続される換気ダクト４と、上記チャンバーの天井面側にある第１の開口３に設けられたグリル６と、上記グリル６の下に配置するように取付けられた天井扇７と、その天井扇７と天井９との間で、天井扇７を囲うように天井９面に立てたり倒したり出来るツイタテ８を配置している。前記ツイタテ８は、天井扇７を囲うように複数枚で構成するもので、ツイタテ８を４枚用いて天井扇７を囲う四角形を形成するように構成してもよく、ツイタテ８が６枚で構成される六角形としてもよい（図示省略）。天井扇７は、羽根７ａとその羽根７ａを回転させる天井扇モータ７ｂで構成されている。なお、前記換気ダクト４は屋外との距離をできるだけ短くし、直線的または、屋内側に向かってすこし下がり勾配を設けておくと、冷たく比重量の大きい冷気が導入されやすくなる。
【００６６】
上記構成において、天井扇７を駆動すると、天井扇７の羽根７ａの上部（吸込み側）が大気圧よりも低い負圧領域となるので、屋外１ａの外気が換気ダクト４を経て外気と連通する第２の開口２から給気チャンバー１に吸込まれ、給気チャンバー１の第１の開口３、グリル６を経由して天井扇７に誘引され、室内に均一に送風されて外気が室内に均一にいきわたる。また、天井扇７を駆動すると、天井９と天井扇７の羽根７ａとの間の空間で、羽根７ａの回転側面から吸込まれる室内循環空気と外気が混合し、部屋の隅々まで拡散されるので、外気導入しながら室内空気を混合した外気冷却システムとなる。
【００６７】
またツイタテ８を立てて天井扇７を駆動すると、ツイタテ８と天井扇７の羽根７ａとの間の空間が狭くなり、即ち羽根７ａの回転側面から吸込まれる室内循環空気が流通しにくくする邪魔板となるで、羽根７ａの回転側面から吸込まれる室内循環空気が減少し、相対的に天井扇７の背面にある給気チャンバー１の第１の開口３から吸込まれる外気量が多くなり、外気温度が室内温度より低い時、外気を多く吸込むことで、室内を早く外気冷却できることになる。一方、ツイタテ８を倒して、天井扇７を駆動すると、ツイタテ８と天井扇７の羽根７ａとの間の空間が広くなり、羽根７ａの回転側面から吸込まれる室内循環空気が増え、相対的に天井扇７の背面にある給気チャンバー１の第１の開口３から吸込まれる外気量が少なくなる。空調時等に室内循環で空調効果を上げたい時、室内循環風量が上がり有効となる。
【００６８】
なお、ツイタテ８を立てた場合、外気のみが吸入されるものではなく、ツイタテ８を倒した場合、外気吸入が全くないものではない。
【００６９】
さらに、ツイタテ８の倒れ角度を変えるツイタテ駆動手段（図示しない）を駆動し予め設けていたツイタテ８の回転軸８ａを中心に回動することで、ツイタテ８の倒れ角度を変える。それによって、ツイタテ８と天井扇７の羽根７ａとの間の空間が変化し、羽根７ａの回転側面から吸込まれる室内循環空気と天井扇７の背面にある給気チャンバー１の第１の開口３から吸込まれる外気量とを調節することが出来ることとなる。このような外気取入れ量の調整機能は、たとえば外気温が低く、使用者が吸気した冷風による不快感を感じるときに外気取入れ量を調節して対処でるという有用な機能となる。
【００７０】
また、図３に示すようにツイタテ８とグリル６とを一体化すれば、上記同様にツイタテ８を立てたり倒したり、又は倒れ角度を変えたりすることで、上記同様の効果を出せるとともに、ツイタテ８とグリル６とを別々に施行する必要がなく、さらに容易に施行が出来ることとなる。
【００７１】
また、給気チャンバー１の第１の開口３とグリル６との間には空気清浄用フィルター１９を挟み込む。塵埃を含んだ外気が給気チャンバー１内に入った時、空気清浄用フィルター１９を通る時に塵埃が捕獲され、清浄空気のみ室内に導入されることになる。なお、前記空気清浄用フィルター１９は、給気チャンバー１の第１の開口３とグリル６との間に挟みこむだけでなく、給気チャンバー１内部の外気通風部分であればよく、外気がバイパスすることなく粉塵等を清浄化できればどこに設けても構わない。
【００７２】
（実施の形態２）
図３には、実施の形態１に外気との連通を遮断する連通遮断手段を設けた形態も示したもので、実施の形態１と同じ構成については、同一の符号を付してその説明は簡略化する。図３に示すように、外気との連通を遮断する連通遮断手段としてのダンパー５を給気チャンバー１の外気に連通する第２の開口２に連接させて、給気チャンバー１の内部に設ける。ダンパー５には外気との導通を遮断するダンパー板５ａがあり、ダンパー軸５ｂでダンパー板５ａは回転する。
【００７３】
上記構成において、ダンパー軸５ｂでダンパー板５ａは回動し、ダンパー内の風路を開閉し、第２の開口２部分で外気との連通を遮断することができる。（図３はダンパー５が開の状態を示し、破線の位置で閉となる）。そして、このダンパー５を例えば給気チャンバー１の内部側からのねじ止めのみで固定するようにしておくと、グリル６を取り外すだけで内側から容易にダンパー５を外すことができるので、ダンパー５が故障した時などメンテナンス性を良くすることも出来る。
【００７４】
さらに、室内を他の空調機で室内を空調している時、ダンパー５を閉めれば外気が入らなくなるので空調の負荷が低減する。また、ツイタテ８を倒すことで天井扇７の羽根７ａとツイタテ８とのスキマが広くなり、天井扇７で室内空気の循環がなされ、空調効果を上げることが出来る。
【００７５】
また、グリル６には通気開口部２０ａを形成するように格子２０を設ける。グリル６の格子２０は真下向きではなく、天井扇７の支持軸７ｃより外側に向くように等間隔に配列する。さらに、外気との連通を遮断する連通遮断手段として、グリル６の格子２０に回転軸２０ｂを設けて回動自在とし、全ての格子２０の向きが水平になったとき通気開口部２０ａを塞ぐグリル開口部閉鎖位置２０ｃを形成するようにしておく。
【００７６】
上記構成において、給気チャンバー１に導入された外気は上記格子２０に沿って外向きに変更しながら通気開口部２０ａを通風し、グリル６を通過後に室内に広がるとともに、給気チャンバー１の天井第１の開口３より広い範囲で回転する羽根７ａの回転面の全域に拡散して到達し、天井扇７の羽根７ａで効率よく室内に送風される。
【００７７】
また、全ての格子２０の向きが水平になったとき通気開口部２０ａを塞ぐグリル開口部閉鎖位置２０ｃを形成して給気チャンバーの第１の開口３を閉鎖する。（図５に破線で示す）。それにより、グリル６が格子２０部でほぼ水平な平面になり、通気開口部２０ａを塞ぐので外気との連通が遮断される。また、天井扇の吸込み側で空気を巻き込む空間となる給気チャンバーの第１の開口３を塞ぐので、室内の循環風のグリル６部分での抵抗が減少し、また、室内空気の循環時に静かに効率よく運転することができることになる。
【００７８】
さらに、上記回転軸２０ｂに格子駆動手段としてステッピングモータ直結して（図示しない）取り付けておけば、外気を取入れる天井扇７の運転に連動してステッピングモータを駆動して格子２０を回転軸２０ｂより外側に向くように回動させるとともに、外気を取入れない天井扇７の運転に連動しては、ステッピングモータを駆動して天井９の開口が塞がるように格子２０を回転軸２０ｂより回動することができるので、使い勝手が向上するものである。
【００７９】
（実施の形態３）
図５は、実施の形態１、２の制御手段の制御回路を示したもので、例えば上記換気ダクト４の内筒部などの外気温度を検知できるところに外気温度センサー２１を設け、例えば上記グリル６などの室内温度を検知できるところに室内温度センサー２２を設ける。そして、制御装置として、前記外気温度センサー２１は外気温度検出回路２１ｃを経てマイコン２３に、前記室内温度センサー２２は外気温度検出回路２２ｃを経て前記マイコン２３につながる。
【００８０】
また、前記マイコン２３には、ツイタテ８の駆動モータ１０につながるツイタテ倒れ角度調整モータ駆動回路１０ｃと、上記ダンパー５のダンパー軸５ｂに直結するダンパーモータ２４につながるダンパーモータ駆動回路２４ｃと、上記グリル６の格子２０の回転軸２０ｂに直結する格子用モータ２５につながる格子用モータ駆動回路２５ｃと、上記天井扇モータ７ｂにつながるとともに羽根７ａの回転を回転数の高い強運転と回転数の低い弱運転と回転停止を制御する天井扇回転数制御回路７ｄの出力回路がつながっている。
【００８１】
さらに、使用者側からの入力回路として、前記上記ツイタテ８の駆動モータ１０により任意の位置にツイタテ８を倒すことができる例えばボリュームなどのツイタテ倒れ角度調整つまみ２６につなげたツイタテ倒れ角度入力回路２６ｃと、外気冷却時に使用者が希望する室温の目安となる例えばボリュームなどの室内温度設定つまみ２７につなげた室内温度入力回路２７ｃと、外気冷却時に使用者が希望する室温の目安とともに天井扇７の運転停止を希望する室温の目安となる例えばボリュームなどの天井扇運転温度設定つまみ２８につなげた室内温度入力回路２８ｃが接続されるとともに、本発明の外気吸気システムを運転／停止する運転／停止スイッチ２９につなげた運転／停止入力回路２９ｃが接続されている。
【００８２】
なお、図５は本発明による全ての機能の回路を表しているので、機器の仕様によってたとえば、回転駆動してグリル６を閉じる格子２０があるので外気と遮断するダンパー５は用いないなど、一部の制御を削除しても構わないし、マイコン２３で説明しているが、ロジック回路で構成しても構わない。室内温度設定つまみ２７と天井扇運転温度設定つまみ２８を兼用して、入力回路を兼用しても構わない。
【００８３】
図６は、マイコン２３で制御される主要なタイムチャートを示したもので、上記構成により、運転／停止スイッチ２９により運転信号が入力すると、外気温度センサー２１により検出した外気温度と室内温度センサー２２により検出した室内温度とを比較判定し、外気温度が室内温度より低い場合に、ダンパー５のダンパーモータ２４および／またはグリル６の格子２０の格子用モータ２５を駆動してダンパー５および／または格子２０を開にして外気と室内を導通させるとともにツイタテ８の駆動モータ１０を駆動してツイタテ８を立て、天井扇モータ７ｂを強運転で運転する。
【００８４】
なお、ツイタテ倒し角度設定つまみ２６により、ツイタテ８の駆動モータ１０により任意の位置にツイタテの倒れ角度を変えることができるので、ツイタテを倒す方向にもっていくことができ、外気の吸気量を調整することができる。
【００８５】
天井扇７が運転して外気が吸気されると、外気は室内に拡散させて均一に供給され、循環した一部の気流が室内温度センサー２２に到達するので室内温度の低下を検出する。室内温度が室内温度設定つまみ２７により入力された室温設定値になると、天井扇モータ７ｂを弱運転に切り替える。弱運転にすることで、必要以上の外気導入を減少させることができる。この状態において室内温度が低下する場合には、ツイタテ８の駆動モータ１０によりツイタテ８を倒す位置に回動させる制御を追加してもよい。ツイタテ８と天井扇の羽根７ａのスキマが大きくなり、外気の吸気量を減少させることができるので、室内の熱負荷に見合う外気冷却量に調整され、室内温度の低下を防止する効果が期待できる。
【００８６】
さらに、室内温度が低下して予め設定しておいた温度幅△ｔ（即ちディファレンシャル）以上に低下すると、連通遮断手段であるダンパー５および／または格子２０を閉じるとともに、駆動モータ１０を駆動してツイタテ８を倒し角度０°（天井に倒した状態）にする。この状態では外気冷却はおこなわれないが、天井扇７は室内循環気流をつくるので、使用者に快適感をもたらす。
【００８７】
前記温度幅△ｔよりも大きい第２の温度幅△ｔ’（△ｔ’＞△ｔ）を設け、外気冷却がおこなわれないにもかかわらずこの△ｔ’よりも室内温度が下がった場合には、天井扇７を停止するようにしておくと、使用者に不必要な循環気流をつくらないので、快適性が高まる。（図示しない）。なお、連通遮断手段であるダンパー５および／または格子２０を閉じる手段がない場合は、前記の予め設定しておいた温度幅△ｔに室内温度がなったときに、天井扇７を停止するようにしておく。
【００８８】
そして、外気冷却がおこなわれないことで室内温度が再び上昇し、前記室温設定値になると、再びダンパー５および／または格子２０を開にして外気と室内を導通させるとともに、天井扇モータ７ｂを強運転で運転し、外気を吸気して外気冷却を再開する。
【００８９】
図７は、運転開始時の外気温度と室内温度と室温設定値と連通遮断手段であるダンパー５および／または格子２０の開閉を示す動作図で、外気温度計測手段として外気温度センサー２１がつながる外気温度検出回路２１ｃと室温計測手段として室内温度センサー２２がつながる外気温度検出回路２２ｃと室温設定手段として室内温度設定つまみ２７につなげた室内温度入力回路２７ｃとマイコン２３を設け、前記マイコン２３には、外気温度と室温設定値および室内温度と室温設定値の比較を行う比較判定手段として外気温度と室内温度と室温設定値とを比較してダンパー５および／または格子２０の開閉を決定する外気遮断アルゴリズムを有し、比較判定手段の判定にもとづいて外気との連通を遮断する手段を制御する制御手段をしてダンパーモータ駆動回路２４ｃおよび／または格子用モータ駆動回路２５ｃを有するものである。
【００９０】
上記構成により、外気温度が室温設定値よりも高いときと、室内温度が室温設定値よりも低いときには外気遮断アルゴリズムにもとづいてマイコン２３はダンパーモータ駆動回路２４ｃおよび／または格子用モータ駆動回路２５ｃにより連通遮断手段であるダンパー５および／または格子２０を閉に制御を行い、不要な外気冷却を行わず、利便性が高まる。なお、前記アルゴリズムでダンパー閉のときに、例えば連動端子でよりこの状態を出力するようにしておけば、空調機とのシステムを構成することができる。さらに、これらの動作をたとえば３０分間ごとのように定期的に行えば、変動する外気温に対応した運転が出来るようになる。
【産業上の利用可能性】
【００９１】
本発明は、夜間に外気温度が室内空気より下がった時、外気を活用し、室内に均一に給気することで、短時間に室内を冷却することができ、室内を空調時には室内の空気循環のみを静かに効率よく行うことができ、室内空気循環と換気を同時に行うことができ、また、天井の下から容易にダンパーのメンテナンスができ、また、循環風量と換気風量を微調整でき、また、外気をクリーンにして室内に導入でき、室内の外気冷房を確実にできる快適な給気システムとして有用である。
【図面の簡単な説明】
【００９２】
【図１】本発明の実施例１の外気給気装置を示す全体構成図
【図２】本発明の実施例１の外気給気装置を示す部分断面図
【図３】本発明の実施例１、実施例２の外気給気装置を示す部分断面図
【図４】同部分断面図のＡ矢視図
【図５】本発明の実施例４の外気給気装置を示す制御ブロック図
【図６】同タイムチャート
【図７】同動作図
【図８】従来の換気システムの平面図
【符号の説明】
【００９３】
１      給気チャンバー
２      第２の開口
３      第１の開口
４      換気ダクト
５      ダンパー
６      グリル
７      天井扇
７ａ    羽根
８      ツイタテ
９      天井
１０    駆動モータ
１９    空気清浄用フィルター
２０    格子
２０ａ  通気開口部
２０ｂ  回転軸
【図１】
2010249352.tif 000003
【図２】
2010249352.tif 000004
【図３】
2010249352.tif 000005
【図４】
2010249352.tif 000006
【図５】
2010249352.tif 000007
【図６】
2010249352.tif 000008
【図７】
2010249352.tif 000009
【図８】
2010249352.tif 000010